(57)【要約】【課題】本発明は果皮を便利に集めるピーラーを開示した。【解決手段】皮剥き箱を含み、前記皮剥き箱の中には皮剥きチャンバが設けられ、右側の引きブロックによって阻み板を開け、阻み板が置きチャンバの中に挿入連結され、握りロッドを握り、ブレードを使って果物の皮をむき、阻み板はピーラーのブレードを隔離でき、子供たちが遊んでいるとき、誤ってピーラーに触れてけがをするのを防止し、安全性を高め、固定機構における尖りブロックは果物を固定することができ、同時に、垂直板と尖りブロックの位置を調整することにより、さまざまな果物の大きさに合わせることができ、引き箱と伸縮箱との間の空間によって果皮を集めることができ、扱いやすい。【選択図】図１
2020179095.tif 000002
【特許請求の範囲】
【請求項１】
皮剥き箱を含み、前記皮剥き箱の中には皮剥きチャンバが設けられ、前記皮剥きチャンバの中には皮剥き機能付きの皮剥き機構が設けられ、前記皮剥き機構の中にはスライド溝が設けられ、前記スライド溝の中にはスライダーがスライドできるように取り付けられ、前記皮剥きチャンバの左側には収集チャンバが連通して設けられ、前記収集チャンバの中には果実を固定できる固定機構が設けられ、前記固定機構の中には移動溝が設けられ、前記移動溝の中には補助溝が連通して設けられ、前記固定機構の左側には引き箱が設けられ、前記引き箱の下方には伸縮箱が設けられ、前記引き箱と前記伸縮箱との間には伸縮できる伸縮機構が設けられ、前記伸縮機構の中には伸縮チャンバが設けられ、前記伸縮チャンバの中には位置制限ブロックがスライドできるように取り付けられることを特徴とする果皮を便利に集めるピーラー。
【請求項２】
前記皮剥き機構は前記皮剥き箱の右側端面に固定的に取り付けられる掛け縄を含み、前記皮剥きチャンバの下方には右に開口した置きチャンバが連通して設けられ、前記置きチャンバの左側内壁の中には右に開口したジャックが設けられ、前記置きチャンバの左側内壁には固定板が前後に対称的に固定的に取り付けられ、前後の前記固定板の間には回転ロッドが回転できるように取り付けられ、前記回転ロッドには阻み板が固定的に取り付けられ、前記阻み板の左右両側の端面には引きブロックが固定的に取り付けられ、右側の前記引きブロックは前記ジャックの中に置くことができ、前後の前記スライダーの間には位置制限ロッドが固定的に取り付けられ、前記位置制限ロッドの中には挿し溝が設けられ、前記挿し溝の中には握りロッドがスライドできるように取り付けられ、前記握りロッドの右側端面には取っ手が固定的に取り付けられ、前記握りロッドの左側端面には曲げ板が固定的に取り付けられ、前記曲げ板の中にはブレードが固定的に取り付けられていることを特徴とする請求項１に記載の果皮を便利に集めるピーラー。
【請求項３】
前記固定機構は前記皮剥き箱の中に設けられる垂直チャンバを含み、前記垂直チャンバの中に垂直板がスライドできるように取り付けられ、前記垂直板の頂部端面と前記垂直チャンバの頂壁との間には第一バネが固定的に取り付けられ、前記収集チャンバの右側内壁には補助板が固定的に取り付けられ、前記移動溝が前記補助板と前記垂直板との間に設けられ、前記移動溝の中にはスライド板がスライドできるように取り付けられ、前記補助溝の中には尖りブロックがスライドできるように取り付けられ、前記尖りブロックは前記スライド板と固定的に連結され、前記スライド板の左側端面と前記移動溝の左側内壁との間には第二バネが固定的に取り付けられていることを特徴とする請求項１に記載の果皮を便利に集めるピーラー。
【請求項４】
前記伸縮機構は前記皮剥き箱の頂部端面の中に回転できように取り付けられる回転ブロックを含み、前記回転ブロックの頂部端面には捻りブロックが固定的に取り付けられ、前記置き溝の左側には連結チャンバが設けられ、前記連結チャンバの前後の内壁の間には連結ロッドが回転できように取り付けられ、前記連結ロッドには連結板が固定的に取り付けられ、前記連結板の頂部端面には伸縮箱が固定的に取り付けられ、前記引き箱の底部端面には伸縮ロッドが固定的に取り付けられ、前記伸縮チャンバが前記伸縮箱の中に設けられ、前記伸縮ロッドが前記伸縮箱の頂部端面に貫通し、前記位置制限ブロックが前記伸縮ロッドの底部端面に固定的に取り付けられ、前記引き箱の頂部端面には凸ブロックが固定的に取り付けられていることを特徴とする請求項１に記載の果皮を便利に集めるピーラー。
【発明の詳細な説明】
【技術分野】
【０００１】
本発明はピーラー分野を取り上げて、具体的には果皮を便利に集めるピーラーである。
【背景技術】
【０００２】
果物が利用される前に、健康を確保するために、果物は皮をむく必要があり、従来技術では、果実の皮むきの過程において、一般的なピーラーが皮を集めることができないため、果皮の取り扱いが困難になり、また、一般的なピーラーは果物を固定することができないので、果物が皮をむかれるとき、果物は手から滑りやすく、子供たちが遊んでいるとき、彼らは偶然ピーラーに触れてそして手に怪我をするかもしれなく、したがって、果物を固定することができ、子供が誤ってピーラーに触れてけがをするのを防止する機能を有し、かつ皮を集めることができるピーラーが必要とされている。
【先行技術文献】
【特許文献】
【０００３】
【特許文献１】中国特許出願公開第１０４６６５５５７号明細書
【発明の概要】
【発明が解決しようとする課題】
【０００４】
本発明は果皮を便利に集めるピーラーを提供し、従来技術における上記欠点を解消することを目的とする。
【課題を解決するための手段】
【０００５】
本発明の実施例の果皮を便利に集めるピーラーは、皮剥き箱を含み、前記皮剥き箱の中には皮剥きチャンバが設けられ、前記皮剥きチャンバの中には皮剥き機能付きの皮剥き機構が設けられ、前記皮剥き機構の中にはスライド溝が設けられ、前記スライド溝の中にはスライダーがスライドできるように取り付けられ、前記皮剥きチャンバの左側には収集チャンバが連通して設けられ、前記収集チャンバの中には果実を固定できる固定機構が設けられ、前記固定機構の中には移動溝が設けられ、前記移動溝の中には補助溝が連通して設けられ、前記固定機構の左側には引き箱が設けられ、前記引き箱の下方には伸縮箱が設けられ、前記引き箱と前記伸縮箱との間には伸縮できる伸縮機構が設けられ、前記伸縮機構の中には伸縮チャンバが設けられ、前記伸縮チャンバの中には位置制限ブロックがスライドできるように取り付けられる。
【０００６】
更の技術プランとしては、前記皮剥き機構は前記皮剥き箱の右側端面に固定的に取り付けられる掛け縄を含み、前記皮剥きチャンバの下方には右に開口した置きチャンバが連通して設けられ、前記置きチャンバの左側内壁の中には右に開口したジャックが設けられ、前記置きチャンバの左側内壁には固定板が前後に対称的に固定的に取り付けられ、前後の前記固定板の間には回転ロッドが回転できるように取り付けられ、前記回転ロッドには阻み板が固定的に取り付けられ、前記阻み板の左右両側の端面には引きブロックが固定的に取り付けられ、右側の前記引きブロックは前記ジャックの中に置くことができ、前後の前記スライダーの間には位置制限ロッドが固定的に取り付けられ、前記位置制限ロッドの中には挿し溝が設けられ、前記挿し溝の中には握りロッドがスライドできるように取り付けられ、前記握りロッドの右側端面には取っ手が固定的に取り付けられ、前記握りロッドの左側端面には曲げ板が固定的に取り付けられ、前記曲げ板の中にはブレードが固定的に取り付けられている。
【０００７】
更の技術プランとしては、前記固定機構は前記皮剥き箱の中に設けられる垂直チャンバを含み、前記垂直チャンバの中に垂直板がスライドできるように取り付けられ、前記垂直板の頂部端面と前記垂直チャンバの頂壁との間には第一バネが固定的に取り付けられ、前記収集チャンバの右側内壁には補助板が固定的に取り付けられ、前記移動溝が前記補助板と前記垂直板との間に設けられ、前記移動溝の中にはスライド板がスライドできるように取り付けられ、前記補助溝の中には尖りブロックがスライドできるように取り付けられ、前記尖りブロックは前記スライド板と固定的に連結され、前記スライド板の左側端面と前記移動溝の左側内壁との間には第二バネが固定的に取り付けられている。
【０００８】
更の技術プランとしては、前記伸縮機構は前記皮剥き箱の頂部端面の中に回転できように取り付けられる回転ブロックを含み、前記回転ブロックの頂部端面には捻りブロックが固定的に取り付けられ、前記置き溝の左側には連結チャンバが設けられ、前記連結チャンバの前後の内壁の間には連結ロッドが回転できように取り付けられ、前記連結ロッドには連結板が固定的に取り付けられ、前記連結板の頂部端面には伸縮箱が固定的に取り付けられ、前記引き箱の底部端面には伸縮ロッドが固定的に取り付けられ、前記伸縮チャンバが前記伸縮箱の中に設けられ、前記伸縮ロッドが前記伸縮箱の頂部端面に貫通し、前記位置制限ブロックが前記伸縮ロッドの底部端面に固定的に取り付けられ、前記引き箱の頂部端面には凸ブロックが固定的に取り付けられている。
【発明の効果】
【０００９】
本発明の有益な効果は：本発明は構造が簡単で、操作が便利で、阻み板はピーラーのブレードを隔離でき、子供たちが遊んでいるとき、誤ってピーラーに触れてけがをするのを防止し、安全性を高め、固定機構における尖りブロックは果物を固定することができ、同時に、垂直板と尖りブロックの位置を調整することにより、さまざまな果物の大きさに合わせることができ、引き箱と伸縮箱との間の空間によって果皮を集めることができ、扱いやすく、宣伝価値がある。
【図面の簡単な説明】
【００１０】
【図１】図１は本発明の構成模式図
【図２】図２は図１の中のＡ―Ａ方向の断面構成模式図
【図３】図３は図１の中のＢ―Ｂ方向の断面構成模式図
【発明を実施するための形態】
【００１１】
下記に図１〜３を合わせて本発明について詳しく説明します。説明を便利にさせるように、下記の方位に規定します：下記の上下左右前後という方向は図１の自身の投影関係の上下左右前後の方向と一致します。
【００１２】
図１〜３を参照し、本発明の実施例の果皮を便利に集めるピーラーは、皮剥き箱３６を含み、前記皮剥き箱３６の中には皮剥きチャンバ２８が設けられ、前記皮剥きチャンバ２８の中には皮剥き機能付きの皮剥き機構７０が設けられ、前記皮剥き機構７０の中にはスライド溝２９が設けられ、前記スライド溝２９の中にはスライダー４４がスライドできるように取り付けられ、前記皮剥きチャンバ２８の左側には収集チャンバ５０が連通して設けられ、前記収集チャンバ５０の中には果実を固定できる固定機構８０が設けられ、前記固定機構８０の中には移動溝４１が設けられ、前記移動溝４１の中には補助溝１３が連通して設けられ、前記固定機構８０の左側には引き箱１１が設けられ、前記引き箱１１の下方には伸縮箱１７が設けられ、前記引き箱１１と前記伸縮箱１７との間には伸縮できる伸縮機構９０が設けられ、前記伸縮機構９０の中には伸縮チャンバ１４が設けられ、前記伸縮チャンバ１４の中には位置制限ブロック１６がスライドできるように取り付けられる。
【００１３】
有益なまた例を示すように、前記皮剥き機構７０は前記皮剥き箱３６の右側端面に固定的に取り付けられる掛け縄３４を含み、前記皮剥きチャンバ２８の下方には右に開口した置きチャンバ２４が連通して設けられ、前記置きチャンバ２４の左側内壁の中には右に開口したジャック２３が設けられ、前記置きチャンバ２４の左側内壁には固定板２５が前後に対称的に固定的に取り付けられ、前後の前記固定板２５の間には回転ロッド２６が回転できるように取り付けられ、前記回転ロッド２６には阻み板３０が固定的に取り付けられ、前記阻み板３０の左右両側の端面には引きブロック２７が固定的に取り付けられ、右側の前記引きブロック２７は前記ジャック２３の中に置くことができ、前後の前記スライダー４４の間には位置制限ロッド４７が固定的に取り付けられ、前記位置制限ロッド４７の中には挿し溝４８が設けられ、前記挿し溝４８の中には握りロッド４９がスライドできるように取り付けられ、前記握りロッド４９の右側端面には取っ手３１が固定的に取り付けられ、前記握りロッド４９の左側端面には曲げ板４６が固定的に取り付けられ、前記曲げ板４６の中にはブレード４５が固定的に取り付けられ、これにより右側の引きブロック２７によって阻み板３０を開け、阻み板３０が置きチャンバ２４の中に挿入連結され、握りロッド４９を握り、ブレード４５を使って果物の皮をむく。
【００１４】
有益なまた例を示すように、前記固定機構８０は前記皮剥き箱３６の中に設けられる垂直チャンバ３５を含み、前記垂直チャンバ３５の中に垂直板３３がスライドできるように取り付けられ、前記垂直板３３の頂部端面と前記垂直チャンバ３５の頂壁との間には第一バネ３７が固定的に取り付けられ、前記収集チャンバ５０の右側内壁には補助板１８が固定的に取り付けられ、前記移動溝４１が前記補助板１８と前記垂直板３３との間に設けられ、前記移動溝４１の中にはスライド板４２がスライドできるように取り付けられ、前記補助溝１３の中には尖りブロック４３がスライドできるように取り付けられ、前記尖りブロック４３は前記スライド板４２と固定的に連結され、前記スライド板４２の左側端面と前記移動溝４１の左側内壁との間には第二バネ１２が固定的に取り付けられ、それにより果実が尖りブロック４３によって固定され、スライド板４２と尖りブロック４３が左右にスライドでき、垂直板３３が上下に移動でき、さまざまな果物の大きさに合わせる。
【００１５】
有益なまた例を示すように、前記伸縮機構９０は前記皮剥き箱３６の頂部端面の中に回転できように取り付けられる回転ブロック３８を含み、前記回転ブロック３８の頂部端面には捻りブロック３９が固定的に取り付けられ、前記置き溝２４の左側には連結チャンバ２１が設けられ、前記連結チャンバ２１の前後の内壁の間には連結ロッド２０が回転できように取り付けられ、前記連結ロッド２０には連結板１９が固定的に取り付けられ、前記連結板１９の頂部端面には伸縮箱１７が固定的に取り付けられ、前記引き箱１１の底部端面には伸縮ロッド１５が固定的に取り付けられ、前記伸縮チャンバ１４が前記伸縮箱１７の中に設けられ、前記伸縮ロッド１５が前記伸縮箱１７の頂部端面に貫通し、前記位置制限ブロック１６が前記伸縮ロッド１５の底部端面に固定的に取り付けられ、前記引き箱１１の頂部端面には凸ブロック４０が固定的に取り付けられ、従って捻りブロック３９を回転させ、引き箱１１をアンロックし、前記連結板１９によって引き箱１１および伸縮箱１７を平面に置き、果皮は引き箱１１と伸縮箱１７との間の空間を通して集めることができ、凸ブロック４０を引き動かし、位置制限ブロック１６が伸縮チャンバ１４の中でスライドし、引き箱１１と伸縮箱１７との間のスペースを大きくし、収集の容積を増やす。
【００１６】
利用する時には、右側の引きブロック２７を使って阻み板３０を開け、阻み板３０が置きチャンバ２４の中に挿入連結され、握りロッド４９を握り、ブレード４５を使って果物の皮をむき、果実が尖りブロック４３によって固定され、スライド板４２と尖りブロック４３が左右にスライドでき、垂直板３３が上下に移動でき、さまざまな果物の大きさに合わせ、捻りブロック３９を回転させ、引き箱１１をアンロックし、前記連結板１９によって引き箱１１および伸縮箱１７を平面に置き、果皮は引き箱１１と伸縮箱１７との間の空間を通して集めることができ、凸ブロック４０を引き動かし、位置制限ブロック１６が伸縮チャンバ１４の中でスライドし、引き箱１１と伸縮箱１７との間のスペースを大きくし、収集の容積を増やす。
【００１７】
本発明の有益な効果は：本発明は構造が簡単で、操作が便利で、阻み板はピーラーのブレードを隔離でき、子供たちが遊んでいるとき、誤ってピーラーに触れてけがをするのを防止し、安全性を高め、固定機構における尖りブロックは果物を固定することができ、同時に、垂直板と尖りブロックの位置を調整することにより、さまざまな果物の大きさに合わせることができ、引き箱と伸縮箱との間の空間によって果皮を集めることができ、扱いやすく、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179095.tif 000003
【図２】
2020179095.tif 000004
【図３】
2020179095.tif 000005